(57)【特許請求の範囲】
【請求項１】
頭皮や肌に適度な刺激を与えることのできる頭皮・肌のマッサージ装置において、
使用者が片手で握ることのできるグリップ（１０）と、
該グリップ（１０）の先端に設けられ、下面に開口（１１Ａ）が形成されたマッサージ部（１１）と、
該マッサージ部（１１）の開口（１１Ａ）に対面して上記マッサージ部（１１）内に長手方向にスライド自在に内蔵され、ブラシ、育毛マッサージあるいは肌刺激のいずれかの機能を有する複数のスライダー（１３、３３）と、
上記グリップ（１０）に内蔵された駆動モータ（１４）と、
該駆動モータ（１４）とスライダー（１３、３３）との間を連携し、駆動モータ（１４）の動作によってスライダー（１３、３３）に往復動させるスライド手段と、
を備えたことを特徴とする頭皮・肌のマッサージ装置。
【請求項２】
上記複数のスライダー（１３）は下面にアタッチメント（２０Ａ〜２０Ｄ）の取付け部（１３Ａ）が形成され、該取付け部（１３Ａ）にはブラシ、育毛マッサージあるいは肌刺激のいずれかの機能を有するアタッチメント（２０Ａ〜２０Ｄ）が着脱可能に取付け可能に設けられている請求項１記載の頭皮・肌のマッサージ装置。
【請求項３】
上記マッサージ部（１１）内には開口（１１Ａ）の側縁に沿ってスライドガイド（１２）が設けられ、上記複数のスライダー（１３）のスライドがガイドされるようになっている請求項１記載の頭皮・肌のマッサージ装置。
【請求項４】
上記スライド手段は、上記駆動モータ（１４）の回転軸（１４Ａ）に取付けられ、表面の偏心した位置に連結ピン（１６Ａ）が突設された回転板（１６）と、上記回転板（１６）の連結ピン（１６Ａ）とスライダー（１３）との間に連結され、上記回転板（１６）の回転動作によって上記スライダー（１３）に往復動させるアーム（１５）とから構成されている請求項２記載の頭皮・肌のマッサージ装置。
【請求項５】
上記スライド手段は、上記駆動モータ（１４）の回転軸（１４Ａ）に取付けられ、表面の偏心した位置に偏心ピン（１６Ｂ）が突設された回転板（１６Ｃ）と、Ｔ字形状をなし、Ｔ字形状の水平辺の中央が上記グリップ（１０）に回転自在に支持され、垂直辺には長溝（１６Ｄ）が形成され、該長溝（１６Ｄ）には上記偏心ピン（１６Ｂ）がスライド自在に挿入され、上記回転板（１６Ｃ）の回転動作によって揺動される揺動板（１６Ｅ）と、上記揺動板（１６Ｅ）のＴ字形状の水平辺の両端の連結ピン（１６Ｆ）とスライダー（１３）とに連結され、上記揺動板（１６Ｅ）の揺動動作によってスライダー（１３）に往復動させるアーム（１５）とから構成されている請求項１記載の頭皮・肌のマッサージ装置。
【請求項６】
上記スライド手段は、上記駆動モータ（１４）の回転を減速して受けて上記マッサージ部（１１）の長手方向に垂直な平面内にて回転する回転板（３１）と、該回転板（３１）に設けられ、上記回転板（３１）の回転動作によって上記スライダー（３３）を往復動させるカム板（３２）とから構成されている請求項１記載の頭皮・肌のマッサージ装置。
【請求項７】
上記スライダー（１３）には振動子（１４）が設けられている請求項１記載の頭皮・肌のマッサージ装置。
【請求項８】
上記スライダー（１３）には磁気発生器（２１）が設けられている請求項１記載の頭皮・肌のマッサージ装置。
【請求項９】
上記グリップ（１０）内には駆動モータ（１４）の電源・制御回路（１７）が内蔵されるとともに、駆動モータ（１４）を作動させるスイッチ（１８）が設けられている請求項１記載の頭皮・肌のマッサージ装置。
【発明の詳細な説明】
【技術分野】
【０００１】
この発明は頭皮・肌のマッサージ装置に関し、特に手を疲れさせることなく、頭皮だけでなく、顔の肌などにも適度な刺激を与えることができるようにした装置に関する。
【背景技術】
【０００２】
頭皮に刺激を与え、発毛促進や脱毛の抑制などの効果を得るようにした装置が種々提案されている。例えば、振動による刺激を頭皮に与えて育毛効果を得るようにした電動ブラシが提案されている（特許文献１、特許文献２）。
【０００３】
また、グリップに六角柱状のローラを回転自在に設け、ローラの各表面に半導体の粒を埋め込み、ローラを顔、首、手の肌に接触させて転がすことによって顔の肌などに適度な刺激を与えて美肌効果を得る一方、頭皮に接触させて転がすことによって頭皮に刺激を与えて育毛効果を得るようにしたローラマッサージ器が提案されている（特許文献３）。
【先行技術文献】
【特許文献】
【０００４】
【特許文献１】特開２０１１−１１０４０号公報
【特許文献２】特開２０１２−７５５４３号公報
【特許文献３】特開２００８−１１９１８１号公報
【発明の開示】
【発明が解決しようとする課題】
【０００５】
しかし、特許文献１、２記載の電動ブラシは頭皮の育毛には使用できるものの、顔などの美肌に使用できるものはなかった。他方、特許文献３記載のローラマッサージ器は顔などの美肌や育毛に使用できるものの、手でグリップを持ってローラを頭皮や顔の肌などに接触させて転がす必要があり、手が疲れて煩わしい。
【０００６】
本発明はかかる問題点に鑑み、手を疲れさせることなく、頭皮だけでなく、顔の肌などにも適度な刺激を与えることができるようにした頭皮・肌のマッサージ装置を提供することを課題とする。
【課題を解決するための手段】
【０００７】
そこで、本発明に係る頭皮・肌のマッサージ装置は、頭皮や肌に適度な刺激を与えることのできる頭皮・肌のマッサージ装置において、使用者が片手で握ることのできるグリップと、該グリップの先端に設けられ、下面に開口が形成されたマッサージ部と、該マッサージ部の開口に対面して上記マッサージ部内に長手方向にスライド自在に内蔵され、ブラシ、育毛マッサージあるいは肌刺激のいずれかの機能を有する複数のスライダーと、上記グリップに内蔵された駆動モータと、該駆動モータとスライダーとの間を連携し、駆動モータの動作によってスライダーに往復動させるスライド手段と、を備えたことを特徴とする。
【０００８】
本発明の特徴の１つはグリップの先端にマッサージ部を設け、マッサージ部にスライダーを前後方向にスライド自在に設ける一方、グリップ内に駆動モータを内蔵し、駆動モータとスライダーとの間をスライド手段で連携させてスライダーを往復動させるように構成し、このスライダーにブラシ、発毛マッサージあるいは肌刺激のいずれかの機能を有するアタッチメントを取付けるようにした点にある。
【０００９】
これにより、適切な機能のアタッチメントを選択し、グリップを片手で持ってアタッチメントを頭皮や顔、首、手の肌に接触させ、駆動モータを作動させることによってアタッチメントを前後に往復動させて頭皮に刺激を与えて育毛効果を得ることができ、顔、首、手の肌に適度な刺激を与えて美肌効果を得ることができる。
【００１０】
また、駆動モータの作動によってマッサージ効果を得るようにしているので、手が疲れることはなく、非常に快適に使用できる。
【００１１】
スライダーは前後にスライドさせることができればよいが、安定したスライド動作を確保する上で、マッサージ部内には開口の側縁に沿ってスライドガイドを設け、複数のスライダーのスライドをガイドするのが好ましい。
【００１２】
また、スライド手段は駆動モータの回転によってスライダーを前後動作させることができればよい。具体的には、スライド手段は、駆動モータの回転軸に取付けられ、表面の偏心した位置に連結ピンが突設された回転板と、回転板の連結ピンとスライダーとの間を連結し、回転板の回転動作によってスライダーに往復動させるアームとから構成することができる。
【００１３】
また、スライド手段は、駆動モータの回転軸に取付けられ、表面の偏心した位置に偏心ピンが突設された回転板と、Ｔ字形状をなし、Ｔ字形状の水平辺の中央がグリップに回転自在に支持され、垂直辺には長溝が形成され、長溝には偏心ピンがスライド自在に挿入され、回転板の回転動作によって揺動される揺動板と、揺動板のＴ字形状の水平辺の両端の連結ピンとスライダーとを連結し、揺動板の揺動動作によってスライダーに往復動させるアームとから構成することができる。
【００１４】
さらに、スライド手段は、駆動モータの回転を減速して受けてマッサージ部の長手方向に垂直な平面内にて回転する回転板と、回転板に設けられ、回転板の回転動作によってスライダーを往復動させるカム板とから構成することができる。
【００１５】
育毛効果や美肌効果を得る上で、アタッチメントを微細に振動させるのがよく、又頭皮や顔の肌などに磁気による刺激を与えるのが好ましい。そこで、スライダーには振動子や磁気発生器を設けるのがよい。
【００１６】
また、駆動モータ、振動子、磁気発生器は外部電源から通電して駆動するようにしてもよいが、マッサージ装置の持ち運びに不便である。そこで、グリップ内に駆動モータ、振動子や磁気発生器の電源・制御回路を内蔵するとともに、駆動モータ又は振動子を作動させるスイッチを設けるのが好ましい。
【００１７】
アタッチメントは例えば図４に示されるように、皮膚と接触部分の形状を変更することによってブラシ機能、肌刺激機能、発毛マッサージ機能を付与することができる。
【図面の簡単な説明】
【００１８】
【図１】本発明に係る皮膚のマッサージ装置の好ましい実施形態を示す概略側面図である。
【図２】上記実施形態を示す断面側面図である。
【図３】上記実施形態を示す断面平面図である。
【図４】上記実施形態において採用されるアタッチメントの例を示す図である。
【図５】図４（ｄ）に示されるアタッチメント２０Ｄの具体的な構造例を示す図である。
【図６】第２の実施形態を示す断面平面図である。
【図７】上記実施形態におけるスライド手段の構造例の平面（ａ）及び側面（ｂ）を示す図である。
【図８】第３の実施形態における側面構造（ａ）、減速ギア群の構造（ｂ）及び正面構造（ｃ）の例を示す図である。
【図９】上記実施形態における平面構造の例を示す図である。
【発明を実施するための形態】
【００１９】
以下、本発明を図面に示す具体例に基づいて詳細に説明する。図１ないし図５は本発明に係る頭皮・肌のマッサージ装置の好ましい実施形態を示す。図において、マッサージ装置はグリップ１０及び先端のマッサージ部１１から構成され、グリップ１０及びマッサージ部１１は例えばプラスチックを用いて中空状に製作され、マッサージ部１１の下面には２つの矩形状の長穴（開口）１１Ａが長手方向に延びて相互に平行に形成されている。
【００２０】
このマッサージ部１１内にはスライドガイド１２が２つの長穴１１Ａの両側縁に沿って形成され、スライドガイド１２間にはスライダー１３が長穴１１Ａに臨んで長手方向にスライド自在に設けられている。
【００２１】
このスライダー１３の上面には振動子２２が取付けられ、下面には磁気発生器２１が取付けられ、又スライダー１３の下面には複数の取付け用の突起が間隔をあけて形成されてアタッチメントの取付け部１３Ａが構成されている。
【００２２】
他方、グリップ１０内には駆動モータ１４が内蔵され、駆動モータ１４の回転軸１４Ａはモータ両側に延び、回転軸１４Ａの両側部分には各々回転板１６が取付けられ、回転板１６には連結ピン１６Ａが回転軸１４Ａに対して偏心した位置に取付けられ、連結ピン１６Ａにはアーム１５の一端部が回転可能に連結され、アーム１５の先端はスライダー１３に回転可能に連結されている。
【００２３】
また、グリップ１０内には駆動モータ１４、振動子２２及び磁気発生器２１に通電して作動を制御する電源・制御装置１７が内蔵されるとともに、後部上面には駆動モータ１４及び振動子２２の作動をＯＮ・ＯＦＦするスイッチ１８、１９が設けられ、又電源・制御装置１７に内蔵された電源はグリップ１０は後端部分１０Ａを脱着して交換できるようになっている。
【００２４】
また、アタッチメント２０Ａ〜２０Ｄの上面にはスライダー１３の下面の突起に着脱可能に嵌合する凹部が形成されるとともに、磁気発生器２１が収容される凹所が形成されている。アタッチメント２０Ａは図４の（ｂ）に示されるように下面に適度な硬さのブラシが植設され、頭皮に適度な刺激を与えることができるようになっている。
【００２５】
また、アタッチメント２０Ｂは比較的軟質な材料を用いて製作され、下面は図４の（ｃ）に示されるようにが平滑な面に形成され、顔、首、手の肌の表面を軟らかく摩って美肌が得られ、又アタッチメント２０Ｃは比較的軟質な材料を用いて製作され、下面は図４の（ｄ）に示されるように親指状の突起が形成され、頭皮に適度な刺激を与えることができるようになっている。
【００２６】
さらに、アタッチメント２０Ｄは比較的軟質な材料を用いて製作され、下面には図４の（ｅ）に示されるように複数のボールが回転自在に嵌め込まれ、回転するボールによって顔、首、手の肌の表面を軟らかく摩って美肌が得られるようになっている。
【００２７】
ここで、アタッチメント２０Ｄは図５の（ａ）に示されるように、アタッチメント２０Ｄに形成した下窄まり状の穴に半導体製その他の材料製のボール２０Ｄ−１を嵌め込み、押え板２０Ｄ−２によって回転自在に押さえて抜け止めするようにしてもよく、図５の（ｂ）に示されるように、アタッチメント２０Ｄに形成した下窄まり状の穴にボール２０Ｄ−１を嵌め込み、抜止めリング２０Ｄ−３を嵌め込むことによってボール２０Ｄ−１を回転自在に抜け止めするようにしてもよい。
【００２８】
例えば、頭皮に刺激を与える場合にはアタッチメント２０Ａ又は２０Ｃをスライダー１３にセットし、グリップ１０を手に持ってスイッチ１８をＯＮすると、駆動モータ１４が作動して回転板１６を回転させ、回転板１６の回転に伴ってアーム１５が押し引きされ、スライダー１３が前後に往復動作される。そこで、アタッチメント２０Ａ又は２０Ｃを頭皮に接触させると、アタッチメント２０Ａのブラシ又はアタッチメント２０Ｃの突起が頭皮に適度な刺激を与え、血流がよくなって育毛効果が期待される。
【００２９】
また、肌に刺激を与える場合にはアタッチメント２０Ｂ又は２０Ｄをスライダー１３にセットし、グリップ１０を手に持ってスイッチ１８をＯＮにし、アタッチメント２０Ｂ、２０Ｄを顔、首、手の肌に接触させると、アタッチメント２０Ｂの滑らかな面又はアタッチメント２０Ｄのボール２０Ｄ−１が肌を軟らかく摩って適切な刺激を与えるので、美肌効果が期待される。
【００３０】
また、頭皮や肌にアタッチメント２０Ａ〜２０Ｄを接触させている際に、スイッチ１９をＯＮにし、アタッチメント２０Ａ〜２０Ｄを細かく振動させると、頭皮や肌に細かな振動による刺激を与えることができる。
【００３１】
さらに、本例のマッサージ装置では磁気発生器２１が搭載されているので、頭皮や肌に磁気による刺激も与えることができ、さらなる育毛効果や美肌効果を期待できる。
【００３２】
図６及び図７は第２の実施形態を示し、図において図１ないし図５と同一符号は同一又は相当部分を示す。本例では駆動モータ１４の回転軸１４Ａに回転板１６Ｃが取付けられ、回転板１６Ｃの表面には偏心ピン１６Ｂが回転軸１４Ａから偏心した位置に突設され、回転板１６Ｃの偏心ピン１６Ｂは揺動板１６Ｅの長溝１６Ｄにスライド自在に挿入されている。
【００３３】
この揺動板１６ＥはＴ字形状をなし、Ｔ字形状の水平辺の中央はグリップ１０に設けられた基台上に回転自在に支持され、Ｔ字形状の垂直辺には長溝１６Ｄが形成されており、揺動板１６Ｅと回転板１６Ｃとアーム１５とによってスライド手段が構成されている。
【００３４】
また、揺動板１６ＥのＴ字形状の水平辺の両端の連結ピン１６Ｆにはアーム１５の一端部が回転自在に連結され、アーム１５の先端はスライダー１３に連結され、駆動モータ１４の作動によって揺動板１６Ｅが揺動され、揺動板１６Ｅの揺動動作によってスライダー１３が前後に往復動作されるようになっている。
【００３５】
図８及び図９は第３の実施形態を示す。図において図１ないし図７と同一符号は同一又は相当部分を示す。本例では駆動モータ１４の回転軸には減速ギア群３０が連結され、減速ギア群３０の出力軸には回転板３１が連結され、回転板３１はマッサージ部１１の長手方向に対して垂直な平面内にて回転自在に設けられ、回転板３１には側面三角形状で、平面ほぼ半台形状のカム板３２が固定されている。
【００３６】
他方、マッサージ部１１の底面には開口１１Ａが形成され、又マッサージ部１１内には２つのスライダー３３が前後スライド自在に、かつ開口１１Ａから下半部を露出させて内蔵され、スライダー３３には比較的軟質の材質で製作された複数のローラ３４が水平な回転軸廻りに回転自在に取付けられ、又スライダー３３内にはスライダー３３を後方付勢するコイルばね３５が内蔵されている。
【００３７】
また、スライダー３３の後端部には全体的に丸くなった突起部３３Ａが形成され、突起部３３Ａはカム板３２に常に摺接してカム板３２の回転によって押し引きされるようになっており、こうして回転板３１の回転動作によってスライダー３３が往復動作されるようになっている。
【符号の説明】
【００３８】
１０      グリップ
１１      マッサージ部
１１Ａ      開口
１２        スライドガイド
１３      スライダー
１３Ａ      取付け部
１４      駆動モータ
１５      アーム
１６、１６Ｃ      回転板
１６Ａ      連結ピン
１６Ｂ      偏心ピン
１６Ｄ    長溝
１６Ｅ    揺動板
１６Ｆ    連結ピン
１８      スイッチ
２０Ａ〜２０Ｄ      アタッチメント
３０      減速ギア群
３１      回転板
３２      カム板
３３      スライダー
３４      ローラ
【図１】
0006346015.tif 000002
【図２】
0006346015.tif 000003
【図３】
0006346015.tif 000004
【図４】
0006346015.tif 000005
【図５】
0006346015.tif 000006
【図６】
0006346015.tif 000007
【図７】
0006346015.tif 000008
【図８】
0006346015.tif 000009
【図９】
0006346015.tif 000010